(57)【要約】【課題】フィルタを必要としなくても、壁面を徘徊する虫が圧力導入孔への侵入することによって精度良い圧力検出が行えなくなることを防止できる圧力センサを提供する。【解決手段】回路基板等からリードフレーム４２や下部ケース２１の側面を通じて圧力導入孔２２ｂに至る経路中に侵入防止剤７を配置する。これにより、当該経路を通じて虫が徘徊してきたとしても、侵入防止剤７により虫を捕獲もしくは殺虫できるため、虫の侵入を防ぐことが可能となる。【選択図】図１
2009098062.tif 000002
【特許請求の範囲】
【請求項１】
ダイアフラム（３１ａ）が形成されたセンサチップ（３１）を含むセンサ部（３）と、
前記センサ部（３）を収容する空間（６）を構成するケース（２）と、
前記ケース（２）の前記空間（６）に露出する部分および前記ケース（２）の外部に露出する部分を有し、前記空間（６）に露出する部分を通じて前記センサ部（３）と電気的に接続されると共に、前記外部に露出する部分を介して前記センサ部（３）を前記ケース（２）の外部と電気的に接続する配線部（４）と、を有し、
前記ダイアフラム（３１ａ）に印加された圧力測定媒体の圧力に応じた検出信号を前記配線部（４）を通じて出力させる圧力センサにおいて、
前記ケース（２）には、前記空間（６）に繋がり、前記センサ部（３）に対して圧力測定媒体を導入するための圧力導入孔（２２ｂ）が備えられていると共に、前記ケース（２）の外壁面のうち前記配線部（４）が前記ケース（２）の外部に露出する部分から前記圧力導入孔（２２ｂ）に至る経路中に、虫の侵入防止剤（７）が配置されていることを特徴とする圧力センサ。
【請求項２】
前記侵入防止剤（７）は、前記圧力導入孔（２２ｂ）の周囲を全周囲むように配置されていることを特徴とする請求項１に記載の圧力センサ。
【請求項３】
前記ケース（２）には、前記圧力導入孔（２２ｂ）の周囲を全周囲むように形成された溝（２２ｃ、２２ｄ）が備えられており、
前記侵入防止剤（７）は、前記溝（２２ｃ、２２ｄ）内に配置されていることを特徴とする請求項２に記載の圧力センサ。
【請求項４】
前記溝（２２ｃ、２２ｄ）は複数個あり、複数個の前記（２２ｃ、２２ｄ）それぞれに前記侵入防止剤（７）が配置されていることを特徴とする請求項３に記載の圧力センサ。
【請求項５】
前記ケース（２）は、前記センサ部（３）が収容される前記空間（６）を構成する有底中空形状の下部ケース（２１）と、前記下部ケース（２１）の開口部の開口端に固定され、前記圧力導入孔（２２）が形成された上部ケース（２２）と、を有して構成され、前記上部ケース（２２）に対して前記下部ケース（２１）の反対側に突出させられることで形成された突出部（２２ａ）に前記侵入防止剤（７）が配置されていることを特徴とする請求項１または２に記載の圧力センサ。
【請求項６】
前記突出部（２２ａ）には、前記圧力導入孔（２２ｂ）の周囲を全周囲むように形成された溝（２２ｃ、２２ｄ）が備えられており、
前記侵入防止剤（７）は、前記溝（２２ｃ、２２ｄ）内に配置されていることを特徴とする請求項５に記載の圧力センサ。
【請求項７】
前記溝は、前記突出部（２２ａ）の外壁面に形成されている溝（２２ｃ）であることを特徴とする請求項６に記載の圧力センサ。
【請求項８】
前記溝は、前記突出部（２２ａ）の先端面に形成されている溝（２２ｄ）であることを特徴とする請求項６または７に記載の圧力センサ。
【請求項９】
前記侵入防止剤（７）は、前記突出部（２２ａ）の先端面に配置されていることを特徴とする請求項５に記載の圧力センサ。
【請求項１０】
前記突出部（２２ａ）には、前記圧力導入孔（２２ｂ）と異なる位置に、前記圧力導入孔（２２ｂ）よりも小さなサイズかつ前記空間（６）に繋がらないダミー孔（２２ｅ）が備えられ、該ダミー孔（２２ｅ）内に前記侵入防止剤（７）が配置されていることを特徴とする請求項１に記載の圧力センサ。
【請求項１１】
前記侵入防止剤（７）は、前記虫を捕獲する粘着性材、前記虫に対して殺虫効果を有する殺虫剤もしくは毒餌剤のいずれかであることを特徴とする請求項１ないし１０のいずれか１つに記載の圧力センサ。
【発明の詳細な説明】
【技術分野】
【０００１】
本発明は、圧力導入孔を通じて伝えられる圧力測定媒体の圧力センサをダイアフラムにて受け、ダイアフラムに形成されたピエゾ素子等の感圧素子から圧力に応じた検出信号を出力させることで圧力の検出を行う圧力センサに関するものである。
【背景技術】
【０００２】
従来、特許文献１において、圧力センサの大気導入通路を櫛歯状あるいは螺旋状にすると共にその大気導入通路内に粘着性材を配置することにより、虫が圧力センサ内に侵入しようとしたときに粘着性材にて捕獲し、圧力センサ内に配置されたＩＣチップやワイヤボンディング部を保護することが開示されている。
【０００３】
また、特許文献２において、圧力センサの大気開放口にフィルタを設けることにより、フィルタにて大気開放口に異物が侵入することを防止する構造が開示されている。
【０００４】
さらに、特許文献３において、大気開放口を入口側において拡径することにより、大気開放口の内壁に虫が巣を作ることを防止する構造が開示されている。
【特許文献１】特開２００６−１０５８５３号公報
【特許文献２】特開平９−４３０８５号公報
【特許文献３】特開平１１−１０１６５９号公報
【発明の開示】
【発明が解決しようとする課題】
【０００５】
しかしながら、特許文献１のように大気導入通路を櫛歯状あるいは螺旋状にしつつ、その大気導入通路内に粘着性材を配置する構造では、構造が複雑になるだけでなく、壁面を徘徊して侵入してくる虫を大気導入通路内で捕獲してしまう。このため、大気導入通路が捕獲した虫によって閉塞されてしまい、大気導入の障害となって、通気性が悪くなるために精度良い圧力検出が行えなくなるという問題がある。
【０００６】
また、特許文献２のようにフィルタを備える場合には、フィルタという別部品が必要になるために部品点数が増加してしまうし、コスト高になるという問題がある。また、フィルタが目詰まりしてしまうと、上記と同様に、大気導入の障害となって、通気性が悪くなるために精度良い圧力検出が行えなくなるという問題も生じる。
【０００７】
さらに、特許文献３のように大気開放口を拡径する場合、虫が巣を作ることを防止できるかもしれないが、虫の侵入を防止できるものではない。
【０００８】
本発明は上記点に鑑みて、フィルタを必要としなくても、壁面を徘徊する虫が圧力導入孔への侵入することによって精度良い圧力検出が行えなくなることを防止できる圧力センサを提供することを目的とする。
【課題を解決するための手段】
【０００９】
上記目的を達成するため、本発明では、ダイアフラム（３１ａ）が形成されたセンサチップ（３１）を含むセンサ部（３）と、  センサ部（３）を収容する空間（６）を構成するケース（２）と、ケース（２）の空間（６）に露出する部分およびケース（２）の外部に露出する部分を有し、空間（６）に露出する部分を通じてセンサ部（３）と電気的に接続されると共に、外部に露出する部分を介してセンサ部（３）をケース（２）の外部と電気的に接続する配線部（４）と、を有し、ダイアフラム（３１ａ）に印加された圧力測定媒体の圧力に応じた検出信号を配線部（４）を通じて出力させるてなる圧力センサにおいて、ケース（２）の外壁面のうち配線部（４）がケース（２）の外部に露出する部分からケース（２）に備えられた圧力導入孔（２２ｂ）に至る経路中に、虫の侵入防止剤（７）が配置されていることを特徴としている。
【００１０】
このように構成された圧力センサでは、圧力センサが実装される回路基板等から配線部（４）やケース（２）の外壁面を通じて圧力導入孔（２２ｂ）に至る経路中に侵入防止剤（７）を配置している。このため、当該経路を通じて虫が徘徊してきたとしても、侵入防止剤（７）により虫の侵入を防ぐことが可能となる。
【００１１】
これにより、圧力導入孔（２２ｂ）が虫によって閉塞されないため、虫が圧力導入の障害となって、通気性が悪くなるために精度良い圧力検出が行えなくなることを防止できる。そして、このような侵入防止剤（７）を圧力導入孔（２２ｂ）の内側ではなく、圧力導入孔（２２ｂ）の外側であるケース（２）の外壁面に配置している。このため、圧力導入孔（２２ｂ）を複雑な形状にする必要もない。
【００１２】
また、侵入防止剤（７）という圧力導入孔（２２ｂ）を閉塞し得ない材料にて圧力導入孔（２２ｂ）への虫の侵入を防止しているため、フィルタを使用した場合のように目詰まりによって圧力導入孔（２２ｂ）が閉塞されてしまうことはない。また、フィルタのように完全に圧力導入孔（２２ｂ）を構成するケース（２）と別部品とされる場合には部品点数の増加となるが、侵入防止剤（７）をケース（２）と一体的にした構造とすれば、部品点数増加も生じない。
【００１３】
さらに、圧力導入孔（２２ｂ）に虫が侵入しないため、圧力導入孔（２２ｂ）内に虫が巣を作ることもない。
【００１４】
このような侵入防止剤（７）は、圧力導入孔（２２ｂ）の周囲を全周囲むように配置されると好ましい。
【００１５】
このように、圧力導入孔（２２ｂ）の周囲を全周囲むように侵入防止剤（７）を配置することで、より圧力導入孔（２２ｂ）への虫の侵入を防止することが可能となる。
【００１６】
例えば、ケース（２）に対して、圧力導入孔（２２ｂ）の周囲を全周囲むように形成された溝（２２ｃ、２２ｄ）を備えておき、この溝（２２ｃ、２２ｄ）内に侵入防止剤（７）を配置することができる。このような溝（２２ｃ、２２ｄ）を複数個設け、複数個の（２２ｃ、２２ｄ）それぞれに侵入防止剤（７）が配置されるようにすれば、冗長性を持たせることが可能になるため、より確実に圧力導入孔（２２ｂ）に虫が侵入することを防止できる。
【００１７】
また、例えばケース（２）を、センサ部（３）が収容される空間（６）を構成する有底中空形状の下部ケース（２１）と、下部ケース（２１）の開口部の開口端に固定され、圧力導入孔（２２）が形成された上部ケース（２２）と、を有した構成とし、上部ケース（２２）に対して下部ケース（２１）の反対側に突出させられることで形成された突出部（２２ａ）に侵入防止剤（７）が配置されるようにすることができる。
【００１８】
この場合、突出部（２２ａ）に圧力導入孔（２２ｂ）の周囲を全周囲むように形成された溝（２２ｃ、２２ｄ）を備え、この溝（２２ｃ、２２ｄ）内に侵入防止剤（７）を配置することができる。例えば、溝としては、突出部（２２ａ）の外壁面に形成されている溝（２２ｃ）や、突出部（２２ａ）の先端面に形成されている溝（２２ｄ）を挙げることができる。また、溝ではなく、侵入防止剤（７）を突出部（２２ａ）の先端面に配置しても良い。
【００１９】
さらに、突出部（２２ａ）のうち圧力導入孔（２２ｂ）と異なる位置に、圧力導入孔（２２ｂ）よりも小さなサイズかつ空間（６）に繋がらないダミー孔（２２ｅ）を備え、該ダミー孔（２２ｅ）内に侵入防止剤（７）を配置することもできる。
【００２０】
このように、圧力導入孔（２２ｂ）と異なる位置に圧力導入孔（２２ｂ）よりもサイズが小さなダミー孔（２２ｅ）を形成した場合、アリなどの虫が生物学的により小さなサイズの方に侵入したがるという習性があるため、アリなどの虫を圧力導入孔（２２ｂ）ではなくダミー孔（２２ｅ）側に侵入させることが可能となる。このため、ダミー孔（２２ｅ）に配置した侵入防止剤（７）にて虫の侵入を防止できる。
【００２１】
このような侵入防止剤（７）としては、虫を捕獲する粘着性材、虫に対して殺虫効果を有する殺虫剤もしくは毒餌剤のいずれかを用いることができる。
【００２２】
なお、上記各手段の括弧内の符号は、後述する実施形態に記載の具体的手段との対応関係を示すものである。
【発明を実施するための最良の形態】
【００２３】
以下、本発明の実施形態について図に基づいて説明する。なお、以下の各実施形態相互において、互いに同一もしくは均等である部分には、図中、同一符号を付してある。
【００２４】
（第１実施形態）
本発明の一実施形態を適用した圧力センサについて説明する。本実施形態で説明する圧力センサは、例えば車両における排圧センサとして使用される。
【００２５】
図１は、本実施形態の圧力センサ１の概略構成を示した断面図である。以下、この図を参照して、本実施形態の圧力センサ１について説明する。
【００２６】
図１に示されるように、圧力センサ１は、ケース２、センサ部３、配線部４、保護材５等を有した構成とされている。
【００２７】
ケース２は、圧力センサ１の外形を形成すると共に、内部に空間６を構成するものであり、このケース２の空間６内にセンサ部３や保護材５等が収容される。ケース２は、ＰＰＳ（ポリフェニレンサルファイド）等の樹脂にて構成され、下部ケース２１と上部ケース２２とにより構成されている。
【００２８】
下部ケース２１は、センサ部３等が収容される中空部を構成する有底中空状（例えば有底円筒形状や有底四角筒形状）を成しており、下部ケース２１における底部２１ａのうち中空部側の表面２１ｂがセンサ部３の搭載面とされる。
【００２９】
上部ケース２２は、下部ケース２１の開口部の端部（開口端）と同じ形状とされており、下部ケース２１の開口端に接着等により接合されている。このように接合されることにより、下部ケース２１と上部ケース２２とによる空間６が構成されている。上部ケース２２の中央位置、つまり下部ケース２１のうちセンサ部３が搭載される場所と対応する場所には、下部ケース２１とは反対側に突出させられた円柱状の突出部２２ａが備えられており、この突出部２２ａの中央位置が例えば円形状に開口させられることにより圧力導入孔２２ｂが形成されている。具体的には、突出部２２ａは、上部ケース２２のうち下部ケース２１と接合される裏面に対して垂直方向に延設されており、圧力導入孔２２ｂも同方向に延設されている。この圧力導入孔２２ｂが形成された位置は、下部ケース２１の底部２１ａのうちセンサ部３の搭載位置と対応しており、圧力導入孔２２ｂから導入された圧力測定媒体の圧力がセンサ部３に偏りなく印加される構造となっている。
【００３０】
センサ部３は、センサチップ３１と台座３２とを有して構成されており、これらが接着剤３３を介して下部ケース２１の底部２１ａの表面２１ｂに接着されている。
【００３１】
センサチップ３１は、例えばｎ型シリコンからなる半導体基板にて構成され、半導体基板の裏面がエッチングなどにより凹まされた薄肉のダイアフラム３１ａと、このダイアフラム３１ａに形成された図示しないｐ型のピエゾ抵抗（感圧素子）を含む電気回路を備えた構成とされている。センサチップ３１の裏面側が台座３２に接着されることで、ダイアフラム３１ａの表面に圧力測定媒体の圧力が伝えられるように構成されている。そして、ダイアフラム３１ａを構成する凹部と台座３２とによる空間を圧力基準室３１ｂとして、ダイアフラム３１ａの表面側に印加される圧力測定媒体の圧力が圧力基準室３１ｂ内の圧力に対する相対圧力として検出され、測定結果と対応するセンサ出力（出力信号）が配線部４を通じて出力される。
【００３２】
台座３２は、例えば低融点ガラスなどにより構成されている。この台座３２に対してセンサチップ３１が例えば陽極接合などにより接合され、圧力基準室３１ｂ内の気密が保たれている。
【００３３】
配線部４は、ボンディングワイヤ４１およびリードフレーム４２にて構成されている。ボンディングワイヤ４１は、センサチップ３１におけるゲージ抵抗もしくは電気回路に電気的に接続されていると共にリードフレーム４２に電気的に接続されており、例えばセンサチップ３１の電源印加、接地、および、センサ出力用とされる。リードフレーム４２は、一端が下部ケース２１の底部２１ａの表面２１ｂから部分的に空間６内に露出し、他端が下部ケース２１から突き出してケース２の外部に露出するように構成されている。このリードフレーム４２の一端、つまり下部ケース２１の底部２１ａの表面２１ｂから露出する側の端部にボンディングワイヤ４１が接合されている。そして、リードフレーム４２のうち外部に突き出している部分が折り曲げられることにより、リードフレーム４２の他端、つまり下部ケース２１の外部に突き出している端部にて、図示しない回路基板などに実装できるようになっている。
【００３４】
保護材５は、センサ部３およびボンディングワイヤ４１などを覆うことにより保護するものである。この保護材５は、圧力導入孔２２ｂを通じて圧力測定媒体が導入されてきたときに、その圧力をセンサチップ３１に伝える圧力伝達部材としての役割も果たし、例えば、ゲル（シリコーンゲル）等により構成されている。
【００３５】
そして、このように構成された圧力センサ１において、突出部２２ａの外壁面に、圧力導入孔２２ｂを通じてアリなどの虫が空間６内に侵入することを防止するための侵入防止剤７が配置されている。具体的には、突出部２２ａには圧力導入孔２２ｂの周囲を全周囲むように形成された溝２２ｃが形成されており、この溝２２ｃ内を埋め込むように侵入防止剤７が備えられている。
【００３６】
侵入防止剤７は、粘着性部材、殺虫剤もしくは毒餌剤にて構成される。粘着性部材は、圧力センサ１の外表面を徘徊して圧力導入孔２２ｂ内に侵入しようとする虫を粘着力によって捕獲するものである。例えば、粘着性部材は、ゲルなどにより構成されるが、保護材５を構成するゲル（例えば、シリコーンゲル）と同じ材料とすれば、材料の簡素化が可能、つまり材料の増加を防止することが可能になる。殺虫剤は、圧力センサ１の外表面を徘徊して圧力導入孔２２ｂ内に侵入しようとする虫を殺虫効果によって排除するものである。殺虫剤の種類としては、侵入し得ると想定される虫の種類に応じて選択可能であり、例えばアリの場合にはピレスロイド剤、有機リン剤、カーバメート剤、エアゾール剤などを殺虫剤として用いることができる。毒餌剤は、圧力センサ１の外表面を徘徊して圧力導入孔２２ｂ内に侵入しようとする虫に食わせることにより殺虫効果を発揮してその虫を排除するものである。毒餌剤の種類も、侵入し得ると想定される虫の種類に応じて選択可能であり、例えばアリの場合にはジノテフランなどを毒餌剤として用いることができる。
【００３７】
このように構成された圧力センサ１では、回路基板（図示せず）からリードフレーム４２や下部ケース２１の側面を通じて圧力導入孔２２ｂに至る経路中に侵入防止剤７を配置している。このため、当該経路を通じて虫が徘徊してきたとしても、侵入防止剤７により虫を捕獲もしくは殺虫できるため、虫の侵入を防ぐことが可能となる。
【００３８】
これにより、圧力導入孔２２ｂが虫によって閉塞されないため、虫が圧力導入の障害となって、通気性が悪くなるために精度良い圧力検出が行えなくなることを防止できる。そして、このような侵入防止剤７を圧力導入孔２２ｂの内側ではなく、圧力導入孔２２ｂの外側である上部ケース２２の外壁面、具体的には突出部２２ａの外周面に配置している。このため、圧力導入孔２２ｂを複雑な形状にする必要もない。
【００３９】
なお、虫が飛来するような場合には、侵入防止剤７を通過することなく圧力導入孔２２ｂに侵入する可能性があるとも考えられるが、圧力センサ１は車両に備えられたドア内やエンジンルーム内のように他の部材に覆われた場所や他にも様々な部品が配置される場所に配置されるため、圧力導入孔２２ｂに直接飛来してくる可能性は非常に低い。このため、殆どの場合、虫がケース２の該壁面から圧力導入孔２２ｂに至る経路中を徘徊することになり、圧力導入孔２２ｂに辿り着く前に侵入防止剤７に触れることになる。したがって、上記効果をほぼ確実に得ることが可能となる。
【００４０】
また、侵入防止剤７という圧力導入孔２２ｂを閉塞し得ない材料にて圧力導入孔２２ｂへの虫の侵入を防止しているため、フィルタを使用した場合のように目詰まりによって圧力導入孔２２ｂが閉塞されてしまうことはない。また、フィルタのように完全に圧力導入孔２２ｂを構成する部材（本実施形態の場合は上部ケース２２）と別部品とされる場合には部品点数の増加となるが、本実施形態のように、侵入防止剤７を上部ケース２２と一体的にした構造とすれば、部品点数増加も生じない。
【００４１】
さらに、圧力導入孔２２ｂに虫が侵入しないため、圧力導入孔２２ｂ内に虫が巣を作ることもない。
【００４２】
そして、本実施形態の場合、圧力導入孔２２ｂの周囲を全周囲むように侵入防止剤７を配置している。侵入防止剤７は、圧力導入孔２２ｂの周囲を全周囲まなくても、効果はあるが、このように全周囲むように配置することにより、より圧力導入孔２２ｂへの虫の侵入を防止することが可能となる。
【００４３】
なお、このような構造の圧力センサ１は、基本的には侵入防止剤７を備えていない従来の構造と同様の製造方法により製造可能であるが、上部ケース２２を下部ケース２１に接合する前もしくは後に、上部ケース２２の溝２２ｃ内に侵入防止剤７をコーティング、ディップなどを行う工程を追加すれば良い。このような侵入防止剤７のコーティング、ディップなどの工程としては、一般的なコーティング、ディップなどの工程を用いればよい。
【００４４】
（第２実施形態）
本発明の第２実施形態について説明する。本実施形態は、第１実施形態に対して侵入防止剤７の配置場所を変更したものであり、他の構造に関しては第１実施形態と同様であるため、第１実施形態と異なる部分についてのみ説明する。
【００４５】
図２は、本実施形態の圧力センサ１の概略構成を示した断面図である。この図に示すように、突出部２２ａの先端面の全域に侵入防止剤７が配置されている。このような構造は、突出部２２ａの先端面に侵入防止剤７をコーティング、ディップなど行うことにより実現でき、このような構造としても、上記第１実施形態と同様の効果を得ることができる。
【００４６】
（第３実施形態）
本発明の第３実施形態について説明する。本実施形態は、第２実施形態に対して侵入防止剤７の配置構造を変更したものであり、他の構造に関しては第１実施形態と同様であるため、第２実施形態と異なる部分についてのみ説明する。
【００４７】
図３は、本実施形態の圧力センサ１の概略構成を示した断面図である。この図に示すように、本実施形態でも突出部２２ａの先端面に侵入防止剤７を配置しているが、突出部２２ａの先端面に圧力導入孔２２ｂの周囲を全周囲むような溝２２ｄを形成し、この溝２２ｄ内に侵入防止剤７が配置されるようにしている。このような構造は、突出部２２ａの先端面に形成された溝２２ｄ内に侵入防止剤７をコーティング、ディップなど行うことにより実現でき、このような構造としても、上記第１実施形態と同様の効果を得ることができる。
【００４８】
（第４実施形態）
本発明の第４実施形態について説明する。本実施形態は、第１実施形態と第３実施形態に示した侵入防止剤７の配置構造を組み合わせたものであり、他の構造に関しては第１実施形態と同様である。
【００４９】
図４は、本実施形態の圧力センサ１の概略構成を示した断面図である。この図に示すように、本実施形態では、突出部２２ａの外周面に形成された溝２２ｃ内と先端面に形成された溝２２ｄの双方に侵入防止剤７を配置している。このように、複数箇所に侵入防止剤７を配置して冗長性を持たせることにより、より確実に圧力導入孔２２ｂに虫が侵入することを防止できる。
【００５０】
（第５実施形態）
本発明の第５実施形態について説明する。本実施形態は、第１実施形態に対して侵入防止剤７の配置構造を変更したものであり、他の構造に関しては第１実施形態と同様であるため、第１実施形態と異なる部分についてのみ説明する。
【００５１】
図５は、本実施形態の圧力センサ１の概略構成を示した図であり、図５（ａ）は圧力センサ１の断面図、図５（ｂ）は圧力センサ１の上面図である。なお、図５（ａ）は、図５（ｂ）のＡ−Ａ断面と対応している。
【００５２】
この図に示されるように、本実施形態では突出部２２ａが長円形状もしくは円形を２つ結合したような形状とされており、圧力導入孔２２ｂに隣接するようにダミー孔２２ｅが備えられている。ダミー孔２２ｅは圧力導入孔２２ｂよりも小さな径とされ、かつ、圧力導入孔２２ｂのように空間６内に繋がる構造ではなく、上部ケース２２の途中まででしか延設されていない構造とされている。そして、このダミー孔２２ｅの底部に侵入防止剤７が配置されている。
【００５３】
このように、圧力導入孔２２ｂに隣接するように圧力導入孔２２ｂよりも小径なダミー孔２２ｅを形成した場合、アリなどの虫が生物学的により小さな径の方に侵入したがるという習性があるため、アリなどの虫を圧力導入孔２２ｂではなくダミー孔２２ｅ側に侵入させることが可能となる。このため、虫をダミー孔２２ｅに配置した侵入防止剤７にて捕獲もしくは殺虫することが可能となり、上記第１実施形態と同様の効果を得ることが可能となる。
【００５４】
（他の実施形態）
上記第１〜第４実施形態では、侵入防止剤７を圧力導入孔２２ｂの周囲を全周囲むように配置しているが、必ずしも全周囲むようにしなければならない訳ではない。つまり、圧力導入孔２２ｂの周囲の１箇所もしくは複数箇所に侵入防止剤７を配置しても効果はある。複数箇所侵入防止剤７を配置する場合には、圧力導入孔２２ｂを囲むように等間隔に配置するとより効果がある。
【００５５】
また、上記第５実施形態では、ダミー孔２２ｅを圧力導入孔２２ｂよりも小径な１つの穴として形成したが、圧力導入孔２２ｂを囲むようにダミー孔２２ｅを円環状にしたり、複数のダミー孔２２ｅを円環状に配置しても良い。また、圧力導入孔２２ｂおよびダミー孔２２ｅは上面形状が円形状である必要はなく、他の形状（例えば多角形）であっても構わない。この場合、圧力導入孔２２ｂに対してダミー孔２２ｅのサイズが小さければ、上記効果を得ることができる。
【図面の簡単な説明】
【００５６】
【図１】本発明の第１実施形態の圧力センサの概略構成を示した断面図である。
【図２】本発明の第２実施形態の圧力センサの概略構成を示した断面図である。
【図３】本発明の第３実施形態の圧力センサの概略構成を示した断面図である。
【図４】本発明の第４実施形態の圧力センサの概略構成を示した断面図である。
【図５】本発明の第５実施形態の圧力センサの概略構成を示した図であり、（ａ）は断面図、（ｂ）は上面図である。
【符号の説明】
【００５７】
１…圧力センサ、２…ケース、３…センサ部、４…配線部、５…保護材、６…空間、７…侵入防止剤、２１…下部ケース、２１ａ…底部、２１ｂ…表面、２２…上部ケース、２２ａ…突出部、２２ｂ…圧力導入孔、２２ｃ…溝、２２ｄ…溝、２２ｅ…ダミー孔、３１…センサチップ、３１ａ…ダイアフラム、３１ｂ…圧力基準室、３２…台座、３３…接着剤、４１…ボンディングワイヤ、４２…リードフレーム
【図１】
2009098062.tif 000003
【図２】
2009098062.tif 000004
【図３】
2009098062.tif 000005
【図４】
2009098062.tif 000006
【図５】
2009098062.tif 000007